(57)【要約】      （修正有） 【課題】通常の通路以外に侵入する小動物等を選択的に検知して忌避することができる鳥獣忌避機能付き庭園灯を提供する。【解決手段】鳥獣検知装置１での検知に応動して作動する鳥獣忌避手段２と、雰囲気変化検知装置３に応動して点灯する庭園照射手段４とを有し、鳥獣検知装置１と雰囲気変化検知装置３の相対的な検知向きを変更可能とする。また、好ましくは、鳥獣忌避手段２と庭園照射手段４を、互いに回動自在に接合し、或いはスイッチの切り替えにより選択可能とする。【選択図】図１
0003196232.tif 000002
【実用新案登録請求の範囲】
【請求項１】
鳥獣検知装置１での検知に応動して作動する鳥獣忌避手段２と、雰囲気変化検知装置３に応動して点灯する庭園照射手段４とを有し、鳥獣検知装置１と雰囲気変化検知装置３の相対的な検知向きを変更可能としたことを特徴とする鳥獣忌避機能付き庭園灯。
【請求項２】
鳥獣検知装置１を有する鳥獣忌避手段２と、雰囲気変化検知装置３を有する庭園照射手段４を、互いに回動自在に接合した請求項１に記載の鳥獣忌避機能付き庭園灯。
【請求項３】
鳥獣検知装置１を周方向に複数個設け、検知できる鳥獣検知装置１を選択可能とした請求項１又は２に記載の鳥獣忌避機能付き庭園灯。
【考案の詳細な説明】
【技術分野】
【０００１】
本考案は、鳥獣忌避機能付き庭園灯に関する。
【背景技術】
【０００２】
鳥獣忌避装置は、従来より種々提案されてきている。外灯に鳥獣忌避機能を併設したもの（特許文献１参照）、照明付ポールに忌避装置を併設したもの（特許文献２参照）もあり、また忌避装置としては音波と光を併用したもの（特許文献３参照）も提案されてきている。
【０００３】
従って、庭園灯に鳥獣忌避機能を持たせることは、ある程度考え付くことであると思われる。
【０００４】
【特許文献１】特開２０１４−４２４８２号公報(忌避装置付き外灯)
【特許文献２】特開２００１−２７０５４号公報(照明付ポールに忌避装置併設)
【特許文献３】実用新案登録第３１６２２１１号公報(音波、光、センサ、ソーラー兼備)
【考案の開示】
【考案が解決しようとする課題】
【０００５】
しかしながらいずれも照明の照射方向と忌避装置の照射方向が大略一致しており、通常、庭園灯は、通路を人が通る時に、夜であれば足元を照らすように設定される。そして、単に庭園灯に忌避装置を併設したのであれば、例えば、犬を散歩させて我が家に入る時、足元を照らしてくれることになるが、この時、忌避装置も駆動されてしまうので、幼児であってもそのままでは忌避機能が無差別に作動し、また我が家の犬もそれを浴びてしまうことになる不都合があった。更に道路の外側に応動するようにすると、道路を通行する幼児を含めた人間及び、散歩に連れている他所の飼い犬にまで忌避装置が作動することになり、そのような場合にまで忌避装置を作動させるのは、行き過ぎになることも考えられる。
【０００６】
そしてこのようなトラブルは、鳥獣忌避手段が可視光線や音声のように人間がはっきりと認識できるものであれば、発生源が特定できるので、対処も遣り易いが、見聞きができない超音波や低周波、高周波等であれば、認識され難い状態で被害を蒙る場合もあり、解決が厄介である。
【０００７】
本考案は、このような問題点に鑑みてなされたものであって、その目的は、通路以外に野良猫等が侵入した時に選択的に忌避装置が駆動し、幼児や我が家の飼い犬等の通路の行き帰りに、嫌な思いをさせることのないようにし、また道路を通行する幼児や乳母車の赤ん坊、危害を加える恐れのない散歩の小動物まで撃退攻撃を仕掛けることのない鳥獣忌避機能付き庭園灯を提供することである。
【課題を解決するための手段】
【０００８】
前記目的を達成するため、
請求項１に記載の考案では、鳥獣検知装置１での検知に応動して作動する鳥獣忌避手段２と、雰囲気変化検知装置３に応動して点灯する庭園照射手段４とを有し、鳥獣検知装置１と雰囲気変化検知装置３の相対的な検知向きを変更可能としたことを特徴とするものであり、
請求項２の考案では、鳥獣検知装置１を有する鳥獣忌避手段２と、雰囲気変化検知装置３を有する庭園照射手段４を、互いに回動自在に接合したものであり、
請求項３に記載の考案では、鳥獣検知装置１（センサー）を周方向に複数個設け、検知できる鳥獣検知装置１を選択可能としたことに特徴を有するものである。
【０００９】
（作用）
請求項１に記載の考案では、例えば門扉を開け、玄関に向かう通路で、左右の植え込みの足元に配置すると、通路を歩く人間や一緒に散歩する犬に反応して庭園照射手段４が灯るが、ここでは鳥獣検知装置１は反応せず、従って鳥獣忌避手段２は作動せず、散歩の犬も心地好く歩を進めることができる。一方、植え込み内に野良猫等が迷い込むと、これを鳥獣検知装置１が検知して鳥獣忌避手段２が作動し、これらの侵入生物を追い払うものである。この場合、庭園照射手段４は灯っても構わない。
【００１０】
請求項２に記載の考案では、鳥獣忌避手段２と庭園照射手段４を回動自在に接合することにより、それぞれに設置された検知装置１、３の相対的な反応角度を現場に応じて簡単に調整できるものであり、また、請求項３の考案では、鳥獣検知装置１を周方向に複数個配置し、動作センサーを選択することにより、侵入生物の検知角度を調整できる。その選択はスイッチＳＷのオンオフにより行える。
【考案の効果】
【００１１】
以上詳述したように請求項１に記載の考案によれば、人やそれに伴って一緒に歩く散歩の犬には、犬に嫌な鳥獣忌避機能は作動せず、夜であれば足元を照らすことができるものであり、一方、通路から逸れた方向に野良猫などが迷い込んで糞尿でもしようとしたら、これを検知してこれを選択的に駆逐することができる。
【００１２】
その鳥獣忌避機能の反応角度の調整は、請求項２の場合は、鳥獣忌避手段２を庭園照射手段４に対して回転させることにより、簡単に対応させることができ、請求項３の場合ではスイッチ操作により対応できるものである。
【考案を実施するための最良の形態】
【００１３】
以下、本考案を具体化した実施形態について添付図により詳述する。図１は鳥獣検知装置１と鳥獣忌避手段２が配設されたベースＡと、雰囲気変化検知装置３と庭園照射手段４が配設された上体部Ｂを回動自在に接合したもので、均等な間隔で複数個ずつ設けられた相互の突起５と切り込み６を選んで噛み合わせることにより、鳥獣検知装置１と雰囲気変化検知装置３の作用する相対的角度を複数段、変更できるようにしたものである。勿論、切り込みがなく、無段で変更できるようにしてもかまわない。ベースＡの下端は、地面に凹凸があっても対応できるようにスパイク状としておくのが好ましい。また、ベースＡ、上体部Ｂは上下を入れ替えても構わない。
【００１４】
ここで鳥獣検知装置１は１か所でも複数個所に設けても構わない。また特に限定するものではないが、一例を示すと、赤外線照射によるいわゆる人感センサーのような検知手段がある。雰囲気変化検知装置３はこれも特に限定するものではないが、赤外線照射のような人感センサーと通常は光センサーが併用される。
【００１５】
図２は鳥獣検知装置１を複数個設け、スイッチＳＷにより反応するものを選定できるようにしたものである。この場合、鳥獣忌避手段２は１つでも良いし、鳥獣検知装置１に対応して複数個としてもかまわない。
【００１６】
鳥獣忌避手段２としては、光、音、低周波、高周波等種々のものの単独又は組合せができ、庭園照射手段４としては、ＬＥＤ、通常の電球等任意である。必要に応じて鳥獣忌避手段２の作動中を赤色ＬＥＤのパイロットランプＰＬで表示するようにすることができる。
【００１７】
何れの場合も、電源７を必要とするが、ＡＣ電源であっても、充電池や乾電池でも良く、充電池であれば、ソーラー発電手段Ｓを配置できる。また、これらの動作の制御は、プログラムが組み込まれた基板を持つ制御手段８により行われる。
【００１８】
図３は下ケースＣ内にＬＥＤ等の庭園照射手段４、鳥獣検知手段１及び鳥獣忌避手段２、雰囲気変化検知装置３を配置し、上ケースＤ内に充電池等の電源７、ソーラー発電手段Ｓ、これらを制御する回路やプログラムが組込まれた基板を持つ制御手段８を配置すると共に、両者間を透光カバーＦで接続したもので、透光カバーＦ内には庭園照射手段４の光を拡散させるシェード９が配置される。図３において、鳥獣検知装置１及び鳥獣忌避手段３の作用方向ａと雰囲気変化検知装置３の検知方向ｂは相対的に向きが変更可能に設置されている。
【００１９】
図４は電気的機能を説明するブロック図で、ＣＤＳセンサーが鳥獣検知装置１及び雰囲気変化検知装置３に該当し、それぞれＰＩＲセンサー回路Ａ、ＢがＭＣＵ制御部（コンピュータ回路）により制御されて例えば超音波発信器のような鳥獣忌避手段２及びＬＥＤガーデンライトのような庭園照射手段４を作動させるもので、これらの機能は例えば３段モードスイッチの切り替えにより、適宜選定設定できるようになっている。
【００２０】
図５は本考案の作用の概略を示すもので、夜であれば、庭園照射手段４が消灯或いは減光された状態の通路に、人や散歩犬などが普通に通り掛かると、その存在を雰囲気変化検知装置３が検知して庭園照射手段４が点灯もしくは点灯強度が増強される。これは通過して所定の時間経過後、元の状態に戻る。昼間は消灯している。ここで鳥獣検知装置１は通路脇の植え込みの方向に反応するように反応向きが設定されていて、上記の人や犬の通行には反応しない。
【００２１】
ここで例えば猫などが植え込みに侵入してきた場合は、鳥獣検知装置１がその侵入を察知し、鳥獣忌避手段２が作動し、撃退するものである。この鳥獣忌避手段２が作動する際、庭園照射手段４は連動して点灯しても良いし、応答しなくても構わない。
【００２２】
更に、農園や山林で鼠、猪や鹿、熊等の野生動物の排除に使う場合は、鳥獣検知装置１は全周に向けて検知するようにすることもできる。
（産業上の利用性）
【００２３】
本考案は、通常は庭園灯であり、人と一緒の犬には反応せず、通路から逸れた茂み方向に野良猫などが入り込んで糞尿やひっかき、樹木や花荒らし等をしようとした場合に選択的に反応してこれを排除できるもので、通常の行動での飼い犬や幼児等に嫌な忌避手段による被害を防止できる。
【００２４】
殊に鳥獣忌避手段２が、人間が感じない低周波、高周波、電磁波等の場合に、知らず知らずのうちに、人、特に幼児や赤ん坊等に被害を与える惧れがあるが、これらを未然に防止でき、安全性も向上する。
【図面の簡単な説明】
【００２５】
【図１】本考案の一実施例の上下のブロックを分離した概略斜視図。
【図２】同上の他の実施例の斜視図である。
【図３】同上の更に他の実施例の概略分解斜視図である。
【図４】同上の電気回路の機能説明ブロック図である。
【図５】同上の作用説明図である。
【符号の説明】
【００２６】
１は鳥獣検知装置、２は鳥獣忌避手段、３は雰囲気変化検知装置、４は庭園照射手段４である。
【図４】
0003196232.tif 000003
【図１】
0003196232.tif 000004
【図２】
0003196232.tif 000005
【図３】
0003196232.tif 000006
【図５】
0003196232.tif 000007